(57)【要約】【課題】ピンチ片部に対して洗濯物を下方から上方に挿し込むだけで、簡便に洗濯物を挟持できる物干し用ハンガーを提供することにある。【解決手段】洗濯物Ｃの挟持させるべき個所の布地を一対のピンチ片部９ａ、９ｂの挟持部９ｄ間に下方から挿入すると、ピンチ片部９ａ、９ｂは軸部９ｅを中心に、下方への付勢力に抗して上方に回動を開始する。洗濯物Ｃは捩りばね１０による挟持力によって保持されながら上方に移動する。洗濯物Ｃの乾燥が終わり、操作片部９ｆ同士を捩りばね１０の付勢力に抗して指で挟み込み回動させることで、挟持部９ｄ同士が離間するので、洗濯物Ｃは挟持部９ｄから落下し取り込むことができる。【選択図】図５
2017192725.tif 000002
【特許請求の範囲】
【請求項１】
矩形又は台形の基体部を所定間隔で形成した枠体状のフレーム部を有し、隣設する前記基体部の下端側に設けた軸孔同士に洗濯物を挟持するための一対のピンチ片部をそれぞれ軸支し、これらのピンチ片部を対称的に回動自在とした物干し用ハンガーであって、
前記ピンチ片部は、側面を円弧形状とした挟持部と、前記基体部の軸孔に挿通する軸部と、該軸部を中心に前記ピンチ片部を回動操作する操作片部とを有し、前記ピンチ片部をそれぞれ回動し、前記挟持部同士が近接するようにばねにより付勢したことを特徴とする物干し用ハンガー。
【請求項２】
前記基体部には上下方向に内設した壁部を設け、前記ピンチ片部は全周に渡って両面に張り出された断面Ｔ字状の縁端部を有し、前記軸部を中心として捩りばねの一端を前記縁端部の一部を切り欠いた切欠部を介して前記壁部に当接し、前記捩りばねの他端を前記挟持部側の前記縁端部に当接したことを特徴とする請求項１に記載の物干し用ハンガー。
【請求項３】
前記ピンチ片部には回動規制部を設け、前記基体部に上下方向に内設した壁部の先端に前記回動規制部が当接することで、前記ピンチ片部の所定角度以上の回動を規制したことを特徴とする請求項１又は２に記載の物干し用ハンガー。
【請求項４】
前記操作片部は前記軸部を中心として、前記挟持部の延在方向に対して直角方向に延在しており、前記回動規制部は前記軸部を中心として、前記挟持部の延在方向に対して反対方向に延在していることを特徴とする請求項３に記載の物干し用ハンガー。
【請求項５】
隣接する前記基体部間に取り付けられた一対の前記ピンチ片部は、同形であり、互いに表裏が逆になるように配置したことを特徴とする請求項１〜４の何れか１項に記載の物干し用ハンガー。
【請求項６】
前記枠体状のフレーム部内を掛け渡す掛渡フレーム部を設け、前記掛渡フレーム部は前記枠体状のフレーム部に対して、段差状に高く配置したことを特徴とする請求項１〜５の何れか１項に記載の物干し用ハンガー。
【請求項７】
前記基体部は前記フレーム部の下部に形成したことを特徴とする請求項１〜６の何れか１項に記載の物干し用ハンガー。
【請求項８】
前記基体部は前記フレーム部の一部を外側又は内側に膨出して形成したことを特徴とする請求項１〜６の何れか１項に記載の物干し用ハンガー。
【請求項９】
前記一対の前記ピンチ片部をピンチ部とし、向かい合う前記フレーム部間の対応する前記ピンチ部同士では同色となるようにし、隣り合う前記ピンチ部は異なる色で配置していることを特徴とする請求項１〜８の何れか１項に記載の物干し用ハンガー。
【請求項１０】
前記枠体状のフレーム部内に橋絡部を設け、該橋絡部に対して回動自在に壁掛けフック部を取り付け、該壁掛けフック部の先端に、屈曲した壁掛鉤部を設けたことを特徴とする請求項１〜９の何れか１項に記載の物干し用ハンガー。
【発明の詳細な説明】
【技術分野】
【０００１】
本発明は、フレーム材に複数のピンチ部を一体に設け、各ピンチ部により洗濯物を掛け止めできる物干し用ハンガーに関するものである。
【背景技術】
【０００２】
フレーム材に等間隔に多数のピンチ部を吊り下げた、例えば特許文献１に示すような物干し用ハンガーは広く利用されている。使用に際しては、フレーム材に懸吊したピンチ部の操作部を指先で押し広げた状態にして、洗濯物をピンチ部の挟持部に挟んで保持するようにする。
【０００３】
また特許文献２には、両方の可動体の滑り止め部分で洗濯物を挟み、上方に持ち上げることで、洗濯物を保持するピンチ部が開示されている。
【先行技術文献】
【特許文献】
【０００４】
【特許文献１】特開２０１０−９９２６５号公報
【特許文献２】実開平５−７４４９１号公報
【発明の概要】
【発明が解決しようとする課題】
【０００５】
特許文献１に示す物干し用ハンガーを用いて、多数の洗濯物を干す際には、その都度、ピンチ部を指先で押し広げて洗濯物を挟む必要がある。数１０個のピンチ部に対し、吊るす操作を繰り返す場合には、高齢者にとってはかなりの負担となる。
【０００６】
更に、フレーム材から紐状体等により懸吊したピンチ部が、フレーム材等に絡まることがあり、解くのに手間を要したり、ピンチ部が収納場所に引っ掛かった状態で取り出した場合には、ピンチ部が破損したり或いはピンチ部がフレーム材から外れてしまうこともある。
【０００７】
また、操作に力を要しない特許文献２に示すピンチ部を、物干しハンガーのピンチ部として採用すると、ピンチ部が固定されずに不安定になり、洗濯物を挟むことが困難となるという問題が生ずる。
【０００８】
本発明の目的は、上述の課題を解消し、多数の洗濯物を同時に干すことができると共に、ピンチ部に対し洗濯物を下方から上方に挿し込むだけで、簡便に洗濯物を挟持できる物干し用ハンガーを提供することにある。
【課題を解決するための手段】
【０００９】
上記目的を達成するための本発明に係る物干し用ハンガーは、矩形又は台形の基体部を所定間隔で形成した枠体状のフレーム部を有し、隣設する前記基体部の下端側に設けた軸孔同士に洗濯物を挟持するための一対のピンチ片部をそれぞれ軸支し、これらのピンチ片部を対称的に回動自在とした物干し用ハンガーであって、前記ピンチ片部は、側面を円弧形状とした挟持部と、前記基体部の軸孔に挿通する軸部と、該軸部を中心に前記ピンチ片部を回動操作する操作片部とを有し、前記ピンチ片部をそれぞれ回動し、前記挟持部同士が近接するようにばねにより付勢したことを特徴とする。
【発明の効果】
【００１０】
本発明に係る物干し用ハンガーによれば、多数の洗濯物を同時に干すことが可能であり、洗濯物をピンチ片部に挟持させる際に力を要することなく、ピンチ片部に対して洗濯物を下方から上方に挿し込むだけで、簡便に洗濯物を挟持することができる。
【図面の簡単な説明】
【００１１】
【図１】実施例１の物干し用ハンガーを上方から見た斜視図である。
【図２】下方から見た斜視図である。
【図３】側面図である。
【図４】ピンチ部の構成図である。
【図５】ピンチ片部間に洗濯物を挟んだ状態の説明図である。
【図６】ピンチ片部間を開放した際の説明図である。
【図７】実施例２の物干し用ハンガーの斜視図である。
【図８】壁掛けフック部を起こした状態の物干し用ハンガーを上方から見た斜視図である。
【図９】実施例３の物干し用ハンガーを上方から見た斜視図である。
【図１０】ピンチ片部間に挟んだ洗濯物を上方に持ち上げた状態の説明図である。
【発明を実施するための形態】
【００１２】
本発明を図示の実施例に基づいて詳細に説明する。
【実施例１】
【００１３】
図１は実施例１の物干し用ハンガーを上方から見た斜視図、図２は下方から見た斜視図、図３は側面図である。
【００１４】
物干し用ハンガー１は主として合成樹脂材から成り、大きさは横６０ｃｍ、縦４０ｃｍ程度であり、例えば２２個のピンチ部が略等間隔でフレーム材に取り付けられている。なお、材質は合成樹脂材以外にも、アルミニウム製等の金属製であってもよく、適宜の材料を採用することができる。また、大きさやピンチ部の数は適宜な寸法、個数とすることができる。
【００１５】
物干し用ハンガー１は長手方向に沿う一対の横フレーム部２と短手方向に沿う一対の縦フレーム部３とから成る主枠部４と有し、横フレーム部２にはこれらを掛け渡す２本の掛渡フレーム部５が設けられている。なお、掛渡フレーム部５は一対を図示しているが、掛渡フレーム部５は複数対であったり、更に縦フレーム部３間を掛け渡すように配置するようにしてもよい。
【００１６】
掛渡フレーム部５間の略中央には、掛渡フレーム部５間に掛け渡し、Ｈ字状から成る橋絡部６が設けられており、更に橋絡部６の中央には吊下げ用のフック部７が設けられている。
【００１７】
また、掛渡フレーム部５と橋絡部６との接続個所は、掛渡フレーム部５に設けた後述する基体部により、掛渡フレーム部５の高さ方向の幅が狭くなる個所であり、橋絡部６は掛渡フレーム部５の補強も兼ねている。同様に、縦フレーム部３、掛渡フレーム部５の各フレームの高さ方向の幅が狭くなる個所同士を掛け渡す補強用の橋絡部を別途に設けるようにしてもよい。
【００１８】
橋絡部６の中央上部には、一対の半円板部６ａが間隔を開けて立設されており、これらの半円板部６ａ間に上下方向の軸を中心に回動可能な円柱部７ａが半円板部６ａに設けた図示しない軸部に軸支されている。フック部７の鉤状部７ｂは図３に示すように下端を円柱部７ａの孔部７ｃに挿通して回動可能に固定され、更に鉤状部７ｂは半円板部６ａの円弧に沿って左に回転移動することが可能とされている。
【００１９】
横フレーム部２、縦フレーム部３、掛渡フレーム部５の各フレーム部は、断面逆Ｕ字状であってＵ字溝を有しており、下方が開放されている。また、横フレーム部２、縦フレーム部３、掛渡フレーム部５には、所定間隔で下方に突出する矩形状又は台形状の基体部８が形成されており、これらの基体部８の下端側の２つの角部８ａには軸孔８ｂがそれぞれ設けられている。そして、１つのピンチ部９は隣り合う２個の基体部８間に設けられている。
【００２０】
また、図３に示すように、物干し用ハンガー１を側面方向からを見た場合に、縦フレーム部３の基体部８と掛渡フレーム部５の基体部８は交互になるように配置されている。このように配置することで、対向する縦フレーム部３間のピンチ部９で挟持した洗濯物Ｃと、対向する掛渡フレーム部５間のピンチ部９で挟持した洗濯物Ｃとが接触することがない。
【００２１】
また、図３に示すように掛渡フレーム部５は縦フレーム部３よりも若干高い位置に配置され、縦フレーム部３と掛渡フレーム部５とは段差状に配置されている。このように縦フレーム部３に対して、内側に設けた掛渡フレーム部５を段差状に高く配置することで、対向する縦フレーム部３間のピンチ部９で挟持した洗濯物Ｃの中央部が、掛渡フレーム部５の基体部８に接触し難くなる。従って、洗濯物Ｃの掛渡フレーム部５の接触を防ぐことで、洗濯物Ｃが乾き易くなる。
【００２２】
図４は図３の側面図の一部を拡大したピンチ部の構成図であり、図４に示すように基体部８の中間の内側内部には、係止部として作用する壁部８ｃが上下方向に内設されている。この壁部８ｃの高さは基体部８の上下方向の長さよりも若干短くされている。なお、図４は壁部８ｃとピンチ部９との関係を理解し易くするため、横フレーム部２の手前側側面は一点鎖線として示している。
【００２３】
ピンチ部９は左右同形の一対のピンチ片部９ａ、９ｂにより構成されている。また、ピンチ部９の色は、向かい合うフレーム部間の対応するピンチ部９同士では同色となるようにし、隣り合うピンチ部９は異なる色で配置していることが好適である。
【００２４】
このようにすることで、洗濯物を拡げて吊す際に、使用する異なるフレーム部間の対応する両側のピンチ部９を間違えることがなく、更に指で摘むピンチ片部９ａ、９ｂの組み合わせも間違えることがない。
【００２５】
ピンチ片部９ａ、９ｂは、補強及び後述する圧接のために、ほぼ全周に渡って両面に張り出され断面Ｔ字状の縁端部９ｃと、洗濯物Ｃを挟持するために一対のピンチ片部９ａ、９ｂ同士が向かい合う挟持部９ｄと、基体部８の軸孔８ｂに軸支し円柱状に突出した軸部９ｅと、この軸部９ｅを中心としてピンチ片部９ａ、９ｂを回動させる操作片部９ｆと、壁部８ｃの下端に当接することにより、ピンチ片部９ａ、９ｂの回動を規制する回動規制部９ｇとを有している。
【００２６】
軸部９ｅはピンチ部９の表面と裏面の両面の同位置に一対として設けられている。また、回動規制部９ｇの軸部９ｅに沿う方向の厚みは、縁端部９ｃの軸部９ｅに沿う方向の厚みの１／２程度であり、回動規制部９ｇは軸部９ｅに沿う方向に対して片側に寄せた状態となっている。
【００２７】
操作片部９ｆは軸部９ｅを中心として、挟持部９ｄの延在方向に対して略９０度ずれた直角方向に延在されており、回動規制部９ｇは軸部９ｅを中心として、挟持部９ｄの延在方向に対して略１８０度ずれた反対方向に延在されている。
【００２８】
挟持部９ｄは幅広状であって側面が円弧形状とされており、ピンチ片部９ａ、９ｂが軸部９ｅを中心に回動すると、挟持部９ｄ同士の近接する位置が回動につれ移動するようになっている。そして、ピンチ片部９ａ、９ｂの回動が上方にゆくにつれ、挟持部９ｄ同士の間隙は拡がるようにされている。
【００２９】
挟持部９ｄの面上には、洗濯物に対する滑り止め用の多数の溝が設けられており、同様に操作片部９ｆの面上にも指滑り防止用の多数の溝が形成されている。
【００３０】
隣接する基体部８間に取り付けられた一対のピンチ片部９ａ、９ｂは、同じ形状のものが表裏が互いに逆になるようにして、左右同形とすることにより部品点数を少なくしている。つまり、一方の側のピンチ片部９ａが表向きに配置されており、他方の側のピンチ片部９ｂが裏向きに配置されている。
【００３１】
ピンチ片部９ａ、９ｂを取り付ける際には、図４に示すように針金等から成る捩りばね１０の巻回中心を軸部９ｅに挿通して軸支したピンチ片部９ａ、９ｂを、基体部８の下方から上方へ移動させて角部８ａに押し込むことで、軸部９ｅが軸孔８ｂに嵌合して、基体部８に対して回動自在に取り付けることができる。
【００３２】
ピンチ片部９ａ、９ｂを基体部８に取り付ける前の捩りばね１０は、一方の端部１０ａが回動規制部９ｇの近傍の縁端部９ｃの一部を切り欠いた切欠部９ｈから突出している。他方の端部１０ｂは、縁端部９ｃに設けたピン受部９ｉに引っ掛けると共に、縁端部９ｃの内壁に当接している。ピンチ片部９ａ、９ｂを基体部８に取り付けた後は、捩りばね１０の端部１０ａは切欠部９ｈを介して壁部８ｃに当接し、回動規制部９ｇの上辺は壁部８ｃの先端に当接することになる。
【００３３】
従来の物干し用ハンガーは、ピンチ部を取り付けるために、ピンチ部の製造工程、吊り下げる紐状体の取り付け工程等の多数の工程が必要なのに対して、本実施例の物干し用ハンガー１は、捩りばね１０を取り付けたピンチ片部９ａ、９ｂを角部８ａに対して押し込むだけで取り付けが完了するため、作業工程が大幅に減少し、製造コストを軽減することが可能である。
【００３４】
軸部９ｅに捩りばね１０を挿通した状態で取り付けられたピンチ片部９ａ、９ｂの挟持部９ｄは、捩りばね１０により付勢力が下方に向けられた状態となる。ただし、回動規制部９ｇが壁部８ｃの先端に当接するので、この位置でピンチ片部９ａ、９ｂの回動は停止状態となる。
【００３５】
なお、隣接するピンチ部９の背中合わせのピンチ片部９ａ、９ｂにおいては、双方の回動規制部９ｇが、１つの壁部８ｃの先端に対してずらした状態で当接されている。これは、同形のピンチ片部９ａ、９ｂの回動規制部９ｇの厚みを薄くし、ピンチ片部９ａ、９ｂを裏返して使用することにより可能としている。
【００３６】
この物干し用ハンガー１を使用する際は、先ず物干し竿等に対して、回動可能な鉤状部７ｂを係止する。洗濯物を挟持する前のピンチ片部９ａ、９ｂ同士は、上述したように挟持部９ｄ同士が近接した状態で、回動規制部９ｇが壁部８ｃの先端に当接し、所定位置で停止している。そして、濡れている洗濯物Ｃの挟持させるべき個所の布地を両手で水平方向に引っ張った状態にして、一対のピンチ片部９ａ、９ｂの挟持部９ｄ間に図４の矢印に示すように下方から挿入する。
【００３７】
続いて、図５に示すように、洗濯物Ｃを挟持部９ｄ同士の間に挿入すると、ピンチ片部９ａ、９ｂは軸部９ｅを中心に、下方への付勢力に抗して上方に回動を開始する。挟持部９ｄは円弧状に緩やかに湾曲しているため、ピンチ片部９ａ、９ｂが回動しても、挟持部９ｄの何れかの位置同士が常に近接状態であり、洗濯物Ｃへの挟持力は一定となる。
【００３８】
洗濯物Ｃを上方に持ち上げると、洗濯物Ｃは捩りばね１０による挟持力によって保持されながら上方に移動する。挟持部９ｄの溝は挟持部９ｄ同士が当接すると、溝は洗濯物Ｃに喰い込み、洗濯物Ｃを挟持した際に洗濯物Ｃを滑ることなく保持することが可能となる。
【００３９】
更に、挟持部９ｄに濡れた洗濯物Ｃの重量などによる下方に引く力が作用すると、挟持部９ｄ間を狭めようとする動作がなされる。この動作により、洗濯物Ｃに挟持部９ｄの滑り止め用の溝が、より一層、洗濯物Ｃに喰い込むことになり挟持が更に強固となる。
【００４０】
洗濯物Ｃの乾燥が終わり、図６に示すように操作片部９ｆ同士を捩りばね１０の付勢力に抗して指で矢印の方向に挟み込むことで、挟持部９ｄ同士が離間するので、洗濯物Ｃは挟持部９ｄから落下し取り込むことができる。
【実施例２】
【００４１】
図７は実施例２の物干し用ハンガー１’を上方から見た斜視図である。図１に示す物干し用ハンガー１に、壁掛けフック部１１を追加した物干し用ハンガー１’の斜視図である。壁掛けフック部１１以外の構造については、前述の物干し用ハンガー１と同様である。
【００４２】
壁掛けフック部１１は、２本の平行するフック棒部１１ａを有しており、これらのフック棒部１１ａが横フレーム部２と平行になるように、橋絡部６に回動自在に取り付けられている。フック棒部１１ａの先端は「く」の字状に屈曲し、更に先が９０度に屈曲した壁掛鉤部１１ｂが設けられている。
【００４３】
壁掛けフック部１１を使用する際は、図７に示すように橋絡部６とフック棒部１１ａが平行に接した壁掛けフック部１１を畳んだ状態から、図８に示すように壁掛鉤部１１ｂを外部の壁の上端に引っ掛けることが可能な状態に、フック棒部１１ａを引き起こす。
【００４４】
フック棒部１１ａを引き起こすと、フック棒部１１ａの根元が掛渡フレーム部５に当接し、回動が停止する。そして、傾斜状態となった壁掛けフック部１１の壁掛鉤部１１ｂの屈曲個所は、外部の壁の上端面及び側面と平行になるため、物干し用ハンガー１’を壁の上端に引っ掛けることが可能となる。更に、縦フレーム部３が壁側面に当接することで、物干し用ハンガー１’は安定して壁に係止される。
【００４５】
このように、洗濯竿等がなく、フック部７を利用することができない場所においては、壁等を利用することで物干し用ハンガー１’に洗濯物Ｃを干すことが可能となる。
【実施例３】
【００４６】
図９は実施例３の物干し用ハンガー１”を上方から見た斜視図である。なお、実施例１、２と同じ符号は、同じ部材、同じ部位を示している。
【００４７】
実施例３の物干し用ハンガー１”においては、主枠部４の横フレーム部２、縦フレーム部３の外周は、実施例１、２の物干し用ハンガー１、１’のように平坦ではなく、ピンチ部９を取り付ける矩形又は台形の基体部８’が横フレーム部２、縦フレーム部３の一部を外側に膨出して形成されている。
【００４８】
実施例３の物干し用ハンガー１”においては、基体部８’は横フレーム部２、縦フレーム部３の一部を外側に膨出して形成しているが、横フレーム部２、縦フレーム部３の一部を内側に膨出するようにして形成してもよい。
【００４９】
また、一対のピンチ片部９ａ、９ｂは両側の基体部８’に、それぞれ軸部９ｅにより回動自在に取り付けられている。また、ピンチ片部９ａ、９ｂが捩りばね１０により付勢されていること、掛渡フレーム部５に対する基体部８の取り付け構造等は実施例１、２と同様である。
【００５０】
実施例１、２の物干し用ハンガー１、１’において洗濯物Ｃを外すには、操作片部９ｆ同士を捩りばね１０の付勢力に抗して、指で挟み込んで洗濯物Ｃを落下させ取り込む必要がある。
【００５１】
しかし、実施例３の物干し用ハンガー１”では、基体部８’が外側に膨出されているので、基体部８’に取り付けられたピンチ部９の上方は開放されている。従って、洗濯物Ｃの上端を持って上方に引き上げるだけで、図１０に示すように挟持部９ｄ同士が離間するので、片手で容易に洗濯物Ｃを外すことができる。
【００５２】
このように実施例３の物干し用ハンガー１”では、洗濯物Ｃを取り外すに際して、操作片部９ｆを操作して取り外す以外に、洗濯物Ｃを上方に引き上げるだけで取り外しことができる。従って、靴下等の短い洗濯物Ｃに対しては上方に引き上げて取り込み、バスタオル等の長い洗濯物Ｃに対しては操作片部９ｆを操作して取り込むなど、洗濯物Ｃに応じて適宜に使い分けることが可能となる。
【００５３】
また、実施例１、２の物干し用ハンガー１、１’においても、基体部８の下端を伸張し、ピンチ片部９ａ、９ｂの上方に十分な空間を確保することで、斜め方向から吊り下げた洗濯物を引き上げて取り外すことが可能となる。
【００５４】
このように、実施例１〜３に係る物干し用ハンガー１、１’、１”によれば、ピンチ片部９ａ、９ｂの向かい合う挟持部９ｄを通過させるだけで、簡便に洗濯物Ｃを挟持させることが可能で、多数の洗濯物Ｃを短時間で吊るすことができる。また、長時間吊して乾燥させても、挟持部９ｄから洗濯物Ｃがずれ落ちることもない。
【符号の説明】
【００５５】
１、１’、１”  物干し用ハンガー
２  横フレーム部
３  縦フレーム部
４  主枠部
５  掛渡フレーム部
６  橋絡部
７  フック部
８、８’  基体部
８ｃ  壁部
９  ピンチ部
９ａ、９ｂ  ピンチ片部
９ｃ  端縁部
９ｄ  挟持部
９ｅ  軸部
９ｆ  操作片部
９ｇ  回動規制部
１０  捩りばね
Ｃ  洗濯物
【図１】
2017192725.tif 000003
【図２】
2017192725.tif 000004
【図３】
2017192725.tif 000005
【図４】
2017192725.tif 000006
【図５】
2017192725.tif 000007
【図６】
2017192725.tif 000008
【図７】
2017192725.tif 000009
【図８】
2017192725.tif 000010
【図９】
2017192725.tif 000011
【図１０】
2017192725.tif 000012